(57)【要約】【課題】従来の防災頭巾は、布だけあるいは布の間に綿を入れたキルティング布で作製されており、落下物に対する頭部の保護が充分ではなかった。また、頭部の保護だけを重視した防災頭巾は、持ち運びに不便であり、避難後の日常の生活用品としては使用できないという課題があった。【解決手段】防災頭巾本体（２）とタオル地からなる内布（３）で構成し、防災頭巾本体（２）には折畳み自在な樹脂性又は弾力性及び屈曲性のある頭部保護部材（４）を配設し、内布（３）は容易に分離可能に縫着している。そして、防災頭巾本体（２）に取付けている固定紐（５）に、鈴（６）及びミニ懐中電灯（７）、ミニ鳴子笛（８）等を脱着可能に取付けたので、災害発生時の避難の際、落下物から頭部を保護できるとともに、自分の居場所を知らせることができる。そして、避難後の日常生活の生活用品として多目的に活用できる防災頭巾（１）とした。【選択図】図１
2010174401.tif 000002
【特許請求の範囲】
【請求項１】
薄手の布からなる頭巾本体（２）とタオル地からなる内布（３）で構成した防災頭巾（１）であって、前記頭巾本体（２）の上部に頭部保護部材（４）を配設し、下方に固定紐（５）を縫着するとともに、内布（３）は頭巾本体（２）から分離可能であることを特徴とする多目的防災頭巾。
【請求項２】
前記頭部保護部材（４）を頭巾本体（２）の外面に載置するとともに、前記頭部保護部材（４）をタオル地で分離可能に被着し、該タオル地の両端部を前記固定紐（５）に分離可能に縫着したことを特徴とする請求項１に記載の多目的防災頭巾。
【請求項３】
前記頭部保護部材（４）を頭巾本体（２）の外面に配設するとともに、前記頭部保護部材（４）は複数の湾曲した略へら状の樹脂片（４ａ）を積層させ、一端部を回動自在に軸支し、他端部は隣接する樹脂片（４ａ、４ａ）を紐（４ｂ）で連結させて上端の樹脂片（４ａ）を回動することによって、略逆皿状になることを特徴とする請求項１に記載の多目的防災頭巾。
【請求項４】
前記頭部保護部材（４）を頭巾本体（２）に内包したことを特徴とする請求項１に記載の多目的防災頭巾。
【請求項５】
前記内布（３）及び頭部保護部材（４）を被着するタオル地に、パイル織タオルあるいは晒しを使用することを特徴とする請求項１〜４のいずれか１項に記載の多目的防災頭巾。
【請求項６】
前記頭部保護部材（４）はフエルト状又はパイル状の厚手の布地（４ｃ）にゴム（４ｄ）を被覆した、弾力性及び屈曲性のある部材であることを特徴とする請求項１、２及び４のいずれか１項に記載の多目的防災頭巾。
【請求項７】
前記固定紐に鈴（６）、ミニ懐中電灯（７）、ミニ鳴子笛（８）等を脱着可能に取付けたことを特徴とする請求項１〜６のいずれか1項に記載の多目的防災頭巾。
【発明の詳細な説明】
【技術分野】
【０００１】
本発明は災害発生時において、頭部の保護を図るとともに、居場所を知らせたり、手拭やマスク、マフラー、包帯としても活用できる多目的防災頭巾に関するものである。
【背景技術】
【０００２】
従来の一般的な防災頭巾は、中央部分から二つ折りした形に形成されている。そして、防災頭巾本体は布だけ、あるいは二枚の布の間に綿を入れたキルティング布で作製されている。このような防災頭巾は、中央部を拡開させて頭部に被って装着され、落下物からの衝撃をある程度吸収し、頭部を保護する機能を有している。しかし、この防災頭巾では、火の粉や小さな落下物に対しては頭部の保護が行えるが、より大きい落下物やガラスの破片のように布を貫通するような落下物に対しては、頭部の保護が行えない。
【０００３】
一方、災害時には防災頭巾の他にタオルやハンカチなどを持ち出して避難するのが良いが、突然の災害時にはこれらの品物を一緒に持ち出すことが困難な場合が多く、避難先での日常生活が不便であったり、出血した際の包帯に代用できる布が入手し難いという問題がある。
【０００４】
そこで、特許文献１に記載の発明のように、落下物に対して前頭部から後頭部を保護するために、二枚の三次元構造のネット材を重ね合わせて前頭部から頭頂部を通過して後頭部に至るまでの端縁部同士を接合することで、クッション性を強化した防災頭巾が発明されている。
【先行技術文献】
【特許文献】
【０００５】
【特許文献１】特開２００２−１６５８９５
【発明の概要】
【発明が解決しようとする課題】
【０００６】
特許文献１の発明は、災害時における落下物から頭部を保護するということでは、効果的である。しかし、ポリエチレンやポリプロピレン等の熱可塑性樹脂の三次元構造のネット材で製作しているため、折り畳むことが難しく、頭部の保護だけの目的にしか利用出来ず、タオルやハンカチあるいは包帯の代用として、防災頭巾を避難後の日常生活に活用出来ないという課題がある。
【課題を解決するための手段】
【０００７】
本願発明では、上記課題を解決するために、防災頭巾の上部に頭部を保護するための部材を配設、当該部材は折畳み自在あるいは弾力性・屈曲性のある部材を採用することで、落下物から頭部を保護することができ、しかも、コンパクトに折畳めるので持ち運びが容易となる防災頭巾を発明するに至った。すなわち、請求項１に記載の本発明の防災頭巾は、薄手の布からなる頭巾本体とタオル地からなる内布で構成した防災頭巾であって、前記頭巾本体の上部に頭部保護部材を配設し、下方に固定紐を縫着するとともに、内布は頭巾本体から分離可能であることを特徴とする多目的防災頭巾である。
【０００８】
請求項２に記載の本発明では、前記頭部保護部材を頭巾本体の外面に載置するとともに、前記頭部保護部材をタオル地で分離可能に被着し、該タオル地の両端部を前記固定紐に分離可能に縫着したことを特徴とする請求項１に記載の多目的防災頭巾である。
【０００９】
請求項３に記載の本発明では、前記頭部保護部材を頭巾本体の外面に配設するとともに、前記頭部保護部材は複数の湾曲した略へら状の樹脂片を積層させ、一端部を回動自在に軸支し、他端部は隣接する樹脂片を紐で連結させて上端の樹脂片を回動することによって、略逆皿状になることを特徴とする請求項１に記載の多目的防災頭巾である。
【００１０】
請求項４に記載の本発明では、前記頭部保護部材を頭巾本体に内包したことを特徴とする請求項１に記載の多目的防災頭巾である。請求項５に記載の本発明では、前記内布及び頭部保護部材を被着するタオル地に、パイル織タオルあるいは晒しを使用することを特徴とする請求項１〜４のいずれか１項に記載の多目的防災頭巾である。
【００１１】
請求項６に記載の本発明では、前記頭部保護部材はフエルト状又はパイル状の厚手の布地にゴムを被覆した、弾力性及び屈曲性のある部材であることを特徴とする請求項１、２及び４のいずれか１項に記載の多目的防災頭巾である。請求項７に記載の本発明では、前記固定紐に鈴、ミニ懐中電灯、ミニ鳴子笛等を脱着可能に取付けたことを特徴とする請求項１〜６のいずれか1項に記載の多目的防災頭巾。
【発明の効果】
【００１２】
本発明の防災頭巾は、薄手の布からなる本体と内布にタオルや晒しを用い、本体と内布の間あるいは本体の外面に頭部保護部材を配設した構造としたので、軽くて嵩張らず、安価なコストで製作できる。そして、災害時における避難の際、落下物から頭部を保護することは勿論、避難時に負傷した場合には防災頭巾の内面に取り外し容易に縫着したタオル又は晒しを包帯の代わりに使用できる。また、避難後の日常生活においては、内布を取り外してタオルとして活用できる。尚、本防災頭巾には、鈴、懐中電灯、鳴子笛等を取付けており、夜間の停電時あるいは避難時の混雑の際、自分の居場所を家族や救助の人に知らせることもできるという効果がある。
【図面の簡単な説明】
【００１３】
【図１】本発明に係る防災頭巾の側面図である。
【図２】同じく本発明に係る防災頭巾の正面図である。
【図３】同じく本発明に係る他の実施例の側面図である。
【図４】同じく本発明に係る他の実施例の正面図である。
【図５】同じく本発明に係る他の実施例の側面図である。
【図６】同じく本発明に係る頭部保護部材の樹脂片の図面である。
【図７】図６の樹脂片を積層させた状態を示す側面図である。
【図８】頭部保護部材の樹脂片を回動させた上面図である。
【図９】頭部保護部材の使用状態を示す側面図である。
【図１０】同じく本発明に係る他の実施例の頭部保護部材の図面である。
【発明を実施するための形態】
【００１４】
本発明の多目的防災頭巾を図面に基づいて詳述する。図１は本発明に係る防災頭巾１の側面図であり、図２は正面図であって、頭巾本体２は長方形の薄手の布を長手方向の中央部で折り返し、合着した二枚の布の一辺を縫着し、他辺は開放している。前記頭巾本体２の内面には、タオル地からなる内布３を糸あるいは安全ピン等で仮止めして、容易に取り外しができるようにしてある。前記内布３の端部は前記頭巾本体２の開放辺に沿って外側に折り返し、該折り返し部と頭巾本体２とを糸あるいは安全ピン等で仮止めし、取り外しが容易にしてある。前記頭巾本体２と前記内布３の間には頭部保護部材４を内包しており、該頭部保護部材４は防災頭巾１を装着した際、一方の側頭部から頭頂部を通過して他方の側頭部までを保護すべく、長方形に形成している。
【００１５】
前記頭巾本体２の下方には該頭巾本体２の短辺と略並行に固定紐５を縫着しており、該固定紐５は防災頭巾１を装着した際、首部で結ぶ位置に取付けている。そして、前記固定紐５には鈴６やミニ懐中電灯７あるいはミニ鳴子笛８等を取り外し容易に配設している。鈴６は災害時の避難の際、子供の居場所を把握でき、ミニ鳴子笛８は自分の居場所を家族あるいは救助隊等に知らせることができる。また、ミニ懐中電灯７は夜間の避難の際に活用できる。
【００１６】
図３は本発明に係る他の実施例の防災頭巾１の側面図であり、図４は正面図であって、頭巾本体２は長方形の薄手の布を長手方向の中央部で折り返し、合着した二枚の布の一辺を縫着し、他辺は開放している。前記頭巾本体２の内面には、内布３を糸あるいは安全ピン等で仮止めして、容易に取り外しができるようにしてある。前記内布３の端部は前記頭巾本体２の開放辺に沿って外側に折り返し、該折り返し部と頭巾本体２とを糸あるいは安全ピン等で仮止めし、取り外しが容易にしてある。前記頭巾本体２の下方には該頭巾本体２の短辺と略並行に固定紐５を縫着しており、該固定紐５は防災頭巾１を装着した際、首部で結ぶ位置に取付けている。前記頭巾本体２の外面には頭部保護部材４を、一方の側頭部から頭頂部を通過して他方の側頭部に渡って載置している。
【００１７】
前記頭部保護部材４をパイル織タオルで分離可能に被着し、該タオルの両端部は前記固定紐５に分離可能に縫着しており、該固定紐５には鈴６やミニ懐中電灯７あるいはミニ鳴子笛８等を取り外し容易に配設している。前述の内布３あるいは頭部保護部材４を被着する布を晒しで作製することにより、取り外して包帯として活用することができる。
【００１８】
図５〜図９に基づき、本発明に係る他の実施例の防災頭巾１について詳述する。頭巾本体２は長方形の薄手の布を長手方向の中央部で折り返し、合着した二枚の布の一辺を縫着し、他辺は開放している。前記頭巾本体２の内面には、内布３を糸あるいは安全ピン等で仮止めして、容易に取り外しができるようにしてある。前記内布３の端部は前記頭巾本体２の開放辺に沿って外側に折り返し、該折り返し部と頭巾本体２とを糸あるいは安全ピン等で仮止めし、取り外しが容易にしてある。前記頭巾本体２の下方には該頭巾本体２の短辺と略並行に固定紐５を縫着しており、該固定紐５は防災頭巾１を装着した際、首部で結ぶ位置に取付けている。前記頭巾本体２の外面頂部には頭部保護部材４を配設しており、該頭部保護部材４は略へら状をした複数の樹脂片４ａの軸孔９ａを軸９に回動自在に積層している。
【００１９】
前記頭部保護部材４を構成する樹脂片４ａは図６の右から左に向かって幅を漸減させ、端部を半円状に形成しており、同心状に軸孔９ａを開口している。前記樹脂片４ａの他端側は角部を面取り加工をしており、上下に隣接する他の樹脂片４ａと連結するための小穴９ｂを端部と平行に２個所開口している。前記樹脂片４ａの幅広側（図６の右側）は図７に示すように下方に湾曲しており、前記一方の小穴９ｂと隣接する樹脂片４ａの一方の小穴９ｂとを紐４ｂで連結し、図８に示すように、積層した樹脂片４ａ・・の最上部を前記軸９を中心に回動させ、最上部の樹脂片４ａと最下部の樹脂片４ａとを重ね合わせ、ホックあるいは面ファスナー等で固定すれば、図９に示すように、皿をうつ伏せにしたような形状となり、頭部を保護するための簡易ヘルメットとなるものである。前記樹脂片４ａはナイロン、ポリプロピレン、ポリエチレン等の樹脂で製作するが、これらに限定するものではなく、アルミニウムのような軽量の金属でも良いものである。
【００２０】
図１０は他の実施例の頭部保護部材４の図面であって、該頭部保護部材４はフエルト状あるいはパイル状の厚手の布地４ｃの片面にゴム４ｄを被覆している。当該頭部保護部材４は弾力性且つ屈曲性があり、落下物から頭部を保護する強度もある部材である。尚、前記ゴム４ｄの代わりに柔軟性のある樹脂を使用してもよいものである。
【産業上の利用可能性】
【００２１】
防災頭巾を薄手の布、タオル、晒し、頭部保護部材、鈴、ミニ懐中電灯、ミニ鳴子笛等で構成し、これらを容易に分離可能としたので、災害発生の際の避難時及び避難後の日常生活にも、生活用品の一部として多目的に活用できる。
【符号の説明】
【００２２】
１  防災頭巾
２  頭巾本体
３  内布
４  頭部保護部材
４ａ  樹脂片
４ｂ  紐
４ｃ  布地
４ｄ  ゴム
５  固定紐
６  鈴
７  ミニ懐中電灯
８  ミニ鳴子笛
【図６】
2010174401.tif 000003
【図７】
2010174401.tif 000004
【図８】
2010174401.tif 000005
【図９】
2010174401.tif 000006
【図１】
2010174401.tif 000007
【図２】
2010174401.tif 000008
【図３】
2010174401.tif 000009
【図４】
2010174401.tif 000010
【図５】
2010174401.tif 000011
【図１０】
2010174401.tif 000012